(57)【要約】【課題】作成した自動系統操作票の承認が円滑、かつ効率的に得られる電力監視制御システムにおける自動系統操作票承認システムの提供を目的とする。【解決手段】自動系統操作票作成のデータを入力し、入力データの承認依頼を入力する操作卓装置２１、入力データ及び承認依頼に基づき自動系統操作票及び承認依頼票を作成し、依頼先の承認内容を操作卓装置２１に送信する操作サーバ装置２４、依頼先へ承認依頼メールを汎用ネットワーク４０を介して電子メールで送信し、自動系統操作票及び承認依頼票を依頼先が参照できる参照ファイルに変換し格納するウェブサーバ装置２４、ウェブサーバ装置２９から承認依頼メールを受信し、参照ファイルを取得して、承認依頼に対する承認内容を汎用ネットワーク４０を介してウェブサーバ装置２９を経由して操作サーバ装置２４へ送信する機能を有する自動系統操作票承認装置３６を備えた構成とする。【選択図】　　　　図１
2004015903.tif 000002
【特許請求の範囲】
【請求項１】
自動系統操作票を作成するためのデータを入力し、依頼先からの承認するかしないかについての承認内容を表示する表示装置を有し、上記入力されたデータの承認依頼を入力する操作卓装置、上記入力されたデータ及び承認依頼に基づき上記自動系統操作票及び承認依頼票を作成し、かつ上記承認内容を上記操作卓装置に送信する操作サーバ装置、上記依頼先へ上記承認依頼をコンピュータネットワークを介して電子メールで送信するとともに、上記自動系統操作票及び承認依頼票を上記依頼先が参照できる参照ファイルに変換し、格納するウェブサーバ装置を備えた自動系統操作表作成装置と、
上記ウェブサーバ装置から送信された上記承認依頼を受信し、上記ウェブサーバ装置に格納された上記参照ファイルを取得して表示する表示装置を有し、上記承認依頼に対する上記承認内容を上記コンピュータネットワークを介し、上記ウェブサーバ装置を経由して上記操作サーバ装置へ送信する機能を有する自動系統操作票承認装置と、
電力系統を、上記自動系統操作票を用いて自動的に制御する電力監視制御部とを備えたことを特徴とする電力監視制御システムにおける自動系統操作票承認システム。
【請求項２】
上記自動系統操作票承認装置は、汎用電子メールソフト及び汎用ブラウザを備えたことを特徴とする請求項１記載の電力監視制御システムにおける自動系統操作票承認システム。
【請求項３】
上記ウェブサーバ装置は、上記承認依頼毎に承認先ＩＤを作成・記憶し、該承認ＩＤを電子メールで上記自動系統操作票承認装置に送信することを特徴とする請求項１記載の電力監視制御システムにおける自動系統操作票承認システム。
【請求項４】
上記ウェブサーバ装置は、電子メールの送信に失敗した場合はエラーメッセージを上記操作卓装置の表示装置に表示するようにしたことを特徴とする請求項１記載の電力監視制御システムにおける自動系統操作票承認システム。
【請求項５】
上記ウェブサーバ装置は、上記承認先の上記自動系統操作票承認装置の表示装置に、承認すべき自動系統操作票のみの参照ファイルを表示するようにしたことを特徴とする請求項１記載の電力監視制御システムにおける自動系統操作票承認システム。
【請求項６】
上記ウェブサーバ装置は、計画中のすべての自動系統操作票の参照データファイルを上記自動系統操作票承認装置の表示装置に表示することを特徴とする請求項１記載の電力監視制御システムにおける自動系統操作票承認システム。
【請求項７】
上記ウェブサーバ装置は、承認先（承認者）の社員ＩＤ、承認ＩＤがすべて正しいかどうかをチェックすることを特徴とする請求項６記載の電力監視制御システムにおける自動系統操作票承認システム。
【請求項８】
上記電力監視制御部は二重系のウェブサーバを有し、上記自動系統操作票作成装置の上記ウェブサーバ装置または上記操作サーバ装置は、上記電力監視制御部の二重系ウェブサーバの運転情報を取得し、該運転情報から上記二重系ウェブサーバのうちの接続対象となるウェブサーバが常用系であるか否かを判断し、常用系でない場合には上記接続対象となるウェブサーバを常用系に切り替えることによって、上記自動系統操作票作成装置と上記電力監視制御部の二重系ウェブサーバとの接続管理を自動的に行うことを特徴とする請求項１記載の電力監視制御システムにおける自動系統操作票承認システム。
【発明の詳細な説明】
【０００１】
【発明の属する技術分野】
本発明は、電力系統の自動操作を行うために作成した自動系統操作票を、上長等の承認者に承認してもらうための電力監視制御システムにおける自動系統操作票承認システムに関するものである。
【０００２】
【従来の技術】
近年、電力系統設備の監視制御の範囲を拡大した電力監視制御システムを導入、運用することによって広範囲な電力系統を少人数で監視制御する体制が整いつつある。一方で、ＩＴと呼ばれるようなコンピュータネットワークを元にした情報システムも導入されており、電力系統分野での監視制御に関連する業務の自動化が進みつつある。
【０００３】
電力監視制御システムと情報システムとがコンピュータネットワークで結合され、日報や系統事故等の情報はイントラネットで参照できるようになりつつあるが、さらに、電力自由化の流れ等により、各電力会社では設備投資の抑制や効率的な業務形態が望まれている。
【０００４】
【発明が解決しようとする課題】
電力系統を、自動的に制御して系統操作を行うためには、自動系統操作票を作成し、作成後に上長等の承認者からり作成した自動系統操作票の承認得ることが必要になる。
【０００５】
しかしながら、作成した系統自動操作票の承認を行う方法は、印字された自動系統操作票を承認者に回覧し、手書きのコメントが添付され、あるいは承認の検印が押印された自動系統操作票が返却されるという方法、あるいは電話、ＦＡＸ等で承認を行うという方法であり、作成した自動系統操作票の承認を得るまでに時間がかかるというのが現状である。
【０００６】
本発明は、上記のような現状を踏まえてなされたものであり、作成した自動系統操作票の承認が円滑、かつ低コストで効率的に得られるようにした電力監視制御システムにおける自動系統操作票承認システムを提供するものである。
【０００７】
【課題を解決するための手段】
本発明に係る電力監視制御システムにおける自動系統操作票承認システムは、自動系統操作票を作成するためのデータを入力し、依頼先からの承認するかしないかについての承認内容を表示する表示装置を有し、上記入力されたデータの承認依頼を入力する操作卓装置、上記入力されたデータ及び承認依頼に基づき上記自動系統操作票及び承認依頼票を作成し、かつ上記承認内容を上記操作卓装置に送信する操作サーバ装置、上記依頼先へ上記承認依頼をコンピュータネットワークを介して電子メールで送信するとともに、上記自動系統操作票及び承認依頼票を上記依頼先が参照できる参照ファイルに変換し、格納するウェブサーバ装置を備えた自動系統操作表作成装置と、
上記ウェブサーバ装置から送信された上記承認依頼を受信し、上記ウェブサーバ装置に格納された参照ファイルを取得して表示する表示装置を有し、上記承認依頼に対する上記承認内容を上記コンピュータネットワークを介し、上記ウェブサーバ装置を経由して上記操作サーバ装置へ送信する機能を有する自動系統操作票承認装置と、
電力系統を、上記自動系統操作票を用いて自動的に制御する電力監視制御部とを備えたものである。
【０００８】
また、上記自動系統操作票承認装置は、汎用電子メールソフト及び汎用ブラウザを備えたものである。
【０００９】
また、上記ウェブサーバ装置は、上記承認依頼毎に承認先ＩＤを作成・記憶し、該承認ＩＤを電子メールで上記自動系統操作票承認装置に送信するものである。
【００１０】
また、上記ウェブサーバ装置は、電子メールの送信に失敗した場合はエラーメッセージを上記操作卓装置の表示装置に表示するようにしたものである。
【００１１】
また、上記ウェブサーバ装置は、上記承認先の上記自動系統操作票承認装置の表示装置に、承認すべき自動系統操作票のみの参照ファイルを表示するようにしたものである。
【００１２】
また、上記ウェブサーバ装置は、計画中のすべての自動系統操作票の参照データファイルを上記自動系統操作票承認装置の表示装置に表示するものである。
【００１３】
また、上記ウェブサーバ装置は、承認先（承認者）の社員ＩＤ、承認ＩＤがすべて正しいかどうかをチェックするものである。
【００１４】
また、上記電力監視制御部は二重系のウェブサーバを有し、上記自動系統操作票作成装置の上記ウェブサーバ装置または上記操作サーバ装置は、上記電力監視制御部の二重系ウェブサーバの運転情報を取得し、該運転情報から上記二重系ウェブサーバのうちの接続対象となるウェブサーバが常用系であるか否かを判断し、常用系でない場合には上記接続対象となるウェブサーバを常用系に切り替えることによって、上記自動系統操作票作成装置と上記電力監視制御部の二重系ウェブサーバとの接続管理を自動的に行うものである。
【００１５】
【発明の実施の形態】
以下に、本発明の実施の形態を図に基づいて説明する。
実施の形態１．
図１は、本発明に係る電力監視制御システムにおける自動系統操作票承認システムの実施の形態１を示す構成図である。図において、１０は電力監視制御システム、１５は電力監視制御部、２０は自動系統操作票作成装置であり、電力監視制御部１５と自動系統操作票作成装置２０はＬＡＮで結合されている。
【００１６】
電力監視制御部１５において、１１は運転員が監視制御操作を行うための操作卓（装置）、１２は監視制御サーバ装置、１３は監視制御結果を記録する記録サーバ装置、１４はプリンタである。
【００１７】
自動系統操作票作成装置２０において、２１は自動系統操作票を作成するためのデータ入力及び入力したデータの承認依頼を行うマンマシン装置を持つ操作卓装置、２４は自動系統操作票及び承認依頼票を作成し、格納する操作サーバ装置、２９は作成した自動系統操作票及び承認依頼票を後述の自動系統操作票承認装置で参照できるようなデータ形式の参照ファイルに変換し、変換した参照ファイルを格納するウェブサーバ装置、３５はファイアウォールである。
【００１８】
３６は自動系統操作票承認装置であり、業務用パソコン装置を用いており、ファイアウォール３９を通し、さらに汎用のコンピュータネットワーク４０を介し、自動系統操作票作成装置２０のファイアウォール３５を通してウェブサーバ装置２９に接続されており、ウェブサーバ装置２９から送信された承認依頼を受信して表示装置に表示し、ウェブサーバ装置２９に格納された参照ファイルを取得し、参照ファイルの自動系統操作票データに対して承認するかしないかという承認内容をコンピュータネットワーク４０を介し、ウェブサーバ装置２９を経由して操作サーバ装置２４へ送信する機能を有する。
【００１９】
本実施の形態においては、自動系統操作票の承認依頼を電子メール化し、承認に必要な手続及び書類を電子化したので、作成した自動系統操作票の承認が円滑、かつ効率的に行われる。
【００２０】
実施の形態２．
図２は、本発明に係る電力監視制御システムにおける自動系統操作票承認システムの実施の形態２を示す構成図である。図において、操作卓装置２１は自動系統操作票の作成あるいは修正のデータ入力を行うために用いる表示装置等のマンマシンを持つ操作票作成部２２、作成後に承認依頼の手続きを行う承認依頼部２３を有する。
【００２１】
操作サーバ装置２４は、操作卓装置２１からの承認依頼を承認先（承認者）に通知する承認依頼通知部２５、操作卓装置２１のデータ入力に基づいて作成した自動系統操作票を格納する自動系統操作票ファイル２６、承認者が承認した内容を操作卓装置２１に送信するとともに承認情報ファイル２８に格納する承認処理部２７を有する。
【００２２】
ウェブサーバ装置２９は、承認依頼及び承認者の承認ＩＤ等の承認情報を電子メール形式で通知する通知処理部３０、自動系統操作票承認装置３６で参照できる形式の参照ファイルに変換する参照データ作成部３１、参照データ作成部３１で作成した参照ファイルを格納する承認装置参照用操作票ファイル３２、通知処理部３０で作成された承認ＩＤ等の承認情報を格納する承認情報ファイル３３、自動系統操作票承認装置３６から承認内容を受信する承認受信処理部３４からなる。
【００２３】
自動系統操作票承認装置３６は、図示していないコンピュータネットワークを介して承認情報の電子メールを受信する汎用電子メールソフト３７、電子メールの内容から参照先を得てウェブサーバ装置２９の参照用データ作成部３１にアクセスし、承認と伝達事項等の承認内容を入力する汎用ブラウザ３８を備える。汎用ブラウザ３８は承認装置参照用操作票ファイル３２に格納された承認依頼の参照ファイルを取得して表示装置に表示し、表示装置から入力された承認内容をコンピュータネットワークを介してウェブサーバ装置２９の承認受信処理部３４へ送信する。
【００２４】
汎用電子メールソフト３７及び汎用ブラウザ３８を用いることによってシステムを低コストで実現できる。
【００２５】
図３は自動系統操作票作成装置２０内の承認依頼機構を示すフローチャートである。
【００２６】
まず、操作卓装置２１内の操作票作成部２２において、表示装置を用い、データを入力することによって、操作サーバ装置２４で自動系統操作票が作成され、作成された自動系統操作票は自動系統操作票ファイル２６に格納される（Ｓ３−１）。
【００２７】
次に、操作卓装置２１内の承認依頼部２３で承認依頼を実行することによって、操作サーバ装置２４内の承認依頼通知部２５で承認依頼が受信され、ウェブサーバ装置２９内の通知処理部３０へ送信される（Ｓ３−２）。
【００２８】
次に、ウェブサーバ装置２９内の通知処理部３０は、承認者の承認依頼を読み取り、参照用データ作成部３１は自動系統操作票ファイル２６のデータを参照ファイルに変換するとともに、承認依頼票を作成し、承認装置参照用操作票ファイル３２に登録し（Ｓ３−３）、承認者の電子メールアドレスに承認ＩＤを入れるため、乱数により任意の桁数の承認ＩＤを作成し、承認情報ファイル３３に登録する（Ｓ３−４）。
【００２９】
図７は承認情報ファイル３３に登録される承認ＩＤの形式の一例を示す図である。
【００３０】
次に、ウェブサーバ装置２９内の通知処理部３０は、承認依頼及び承認ＩＤを含めた承認情報を電子メールに記載する承認依頼メールを自動作成し（Ｓ３−５）、自動作成した承認依頼メールを電子メールで承認先へ送信し（Ｓ３−６）、電子メールが正しく送信されたかどうかを確認し（Ｓ３−７）、電子メール送信が失敗の場合はエラーメッセージを承認依頼部２３に表示し（Ｓ３−８）、Ｓ３−１のステップに移る。
【００３１】
電子メールが正しく送信され、自動系統操作承認装置３６の表示装置に承認依頼メールが表示され、汎用ブラウザ３８を起動すると、ウェブサーバ装置２９にアクセスし、参照用データ作成部３１から自動系統操作票を参照用データに変換した参照ファイル及び承認依頼票が表示装置に読み出される。
【００３２】
承認先（承認者）は表示装置に表示された参照ファイル及び承認依頼票から承認内容を入力し、承認内容はウェブサーバ装置２９の承認受信処理部３４から操作サーバ装置２４の承認処理部に送信され、依頼元に承認内容の結果が通知され操作卓２１の表示装置に表示される。
【００３３】
本実施の形態においては、ウェブサーバ装置２９内の通知処理部３０において、承認依頼毎に承認先の承認ＩＤを作成し承認先に送信しているので、承認コードの外部への流出や自動系統操作票の偽造あるいは更新漏れを防止することができる。
【００３４】
また、ウェブサーバ装置２９内の通知処理部３０は承認依頼内容から電子メールに記載する承認依頼メールを自動作成しているので、作成した自動系統操作票の承認がさらに円滑、かつ効率的に得られる。
【００３５】
また、電子メール送信が失敗の場合はエラーメッセージが操作卓装置２１の表示装置に表示されるようにしたので、承認依頼を確実に依頼先に送信することができる。
【００３６】
実施の形態３．
本実施の形態は、上記実施の形態２において、自動系統操作承認装置３６の表示部に、操作サーバ２４の自動系統操作票ファイル２６に格納されている自動系統操作票を参照データに変換した参照ファイルが自動的に表示されるようにしたものである。
【００３７】
図４は、自動系統操作承認装置３６の承認依頼票及び参照ファイルの表示機構を示すフローチャートである。
【００３８】
まず、汎用電子メールソフト３７において承認依頼メールの電子メールを受信し（Ｓ４−１）、汎用ブラウザ３８を起動すると電子メールの承認依頼メール内にある承認依頼票及び参照ファイルの参照先（ＵＲＬアドレス）が表示される（Ｓ４−２）。
【００３９】
表示装置に表示された承認依頼票及び参照ファイルの参照先（ＵＲＬアドレス）を指示すると、ウェブサーバ装置２９の参照用データ作成部３１は承認装置参照用操作票ファイル３２から承認すべき対象の承認依頼票及び参照ファイルのみを読み出す（Ｓ４−３）。
【００４０】
本実施の形態によれば、承認先の自動系統操作承認装置３６の表示装置には、承認すべき自動系統操作票承認依頼票及び参照ファイル（自動系統操作票）のみを閲覧するようにしたので、誤った承認処理操作をなくすことができる。
【００４１】
実施の形態４．
上記実施の形態３では、承認先に承認すべき自動系統操作票を閲覧するようにしたが、本実施の形態では操作サーバ装置２４の自動系統操作票ファイル２６に格納されている計画中のすべての自動系統操作票（参照データに変換した参照ファイル）を自動系統操作票承認装置３６の表示装置に表示するものである。
【００４２】
図５は、自動系統操作承認装置３６の承認依頼メール及び参照ファイルに変換された自動系統操作票の表示機構を示すフローチャートである。
【００４３】
まず、実施の形態３と同様に汎用電子メールソフト３７において承認依頼メールを受信し、汎用ブラウザ３８を起動すると、計画中のすべての自動系統操作票の一覧表が表示装置に表示される（Ｓ５−１）。
【００４４】
次に、一覧表から自動系統操作票を選択することによって、図６に示すような承認装置参照用自動系統操作票のページが表示され（Ｓ５−２）、選択した承認装置参照用自動系統操作票に対して次ページあるいは戻るのコメントの入力を行う（Ｓ５−３）。
【００４５】
次に、表示された承認装置参照用自動系統操作票の次ページを選択すると、図７に示したような承認情報ファイルのページが表示され、承認者の社員ＩＤ、承認ＩＤ、承認コメント等を入力する（Ｓ５−４）。
【００４６】
次に、承認受信処理部３４は承認者の社員ＩＤ、承認ＩＤ等がすべて正しいかどうかチェックし（Ｓ５−５）、すべて正しい場合は承認内容が操作サーバ２４の承認処理部２７に送信され、承認内容が依頼元に通知される。正しくない場合には再度Ｓ５−２のステップから再開される。
【００４７】
本実施の形態によれば、計画中のすべての自動系統操作票が表示されるので、承認すべき自動系統操作票以外の自動系統操作票を参照しながら承認内容を作成することができる。
【００４８】
また、承認受信処理部３４は承認者の社員ＩＤ、承認ＩＤ等がすべて正しいかどうかをチェックしているので、誤った承認操作をなくすことができる。
【００４９】
実施の形態５．
図１において、電力監視制御部１５における監視制御サーバ装置１２及び記録サーバ装置１３は、故障等の事故に対応するために、それぞれ２つのコンピュータからなる二重系のウエブサーバを有する。
【００５０】
自動系統操作表作成装置２０は、ＬＡＮを介して上記二重系のウェブサーバと接続するが、電力監視制御部１５の運転システムと自動系統操作表承認装置２０の運転システムはそれぞれ独立しているため、自動系統操作表承認装置２０は電力監視制御部１５のウエブサーバのいずれが接続されているかを常に意識する必要があった。
【００５１】
本実施の形態は、自動系統操作表作成装置２０と電力監視制御部１５の二重系ウェブサーバとの接続管理を自動系統操作表作成装置２０のウェブサーバ装置２９または操作サーバ装置２４で自動的に行うことにより、接続状態を意識しないでもよいようにするものである。図８はその機構を示すフローチャートである。
【００５２】
ウェブサーバ装置２９には、電力監視制御部１５の二重系のウェブサーバそれぞれの運転情報が取り込まれ、ウェブサーバ装置２９または操作サーバ装置２４は、接続対象となる電力監視制御部１５のウェブサーバの運転情報を取得し（Ｓ８−１）、取得した運転情報から常用系かどうか、すなわち、運転状態にあるかどうかをチェックし（Ｓ８−２）、ウェブサーバ装置２９または操作サーバ装置２４は、接続対象となるウェブサーバが常用系でない場合には常用系ウェブサーバに切り替える（Ｓ８−３）。
【００５３】
【発明の効果】
本発明に係る電力監視制御システムにおける自動系統操作票承認システムによれば、自動系統操作票を作成するためのデータを入力し、依頼先からの承認するかしないかについての承認内容を表示する表示装置を有し、上記入力されたデータの承認依頼を入力する操作卓装置、上記入力されたデータ及び承認依頼に基づき上記自動系統操作票及び承認依頼票を作成し、かつ上記承認内容を上記操作卓装置に送信する操作サーバ装置、上記依頼先へ上記承認依頼をコンピュータネットワークを介して電子メールで送信するとともに、上記自動系統操作票及び承認依頼票を上記依頼先が参照できる参照ファイルに変換し、格納するウェブサーバ装置を備えた自動系統操作表作成装置と、
上記ウェブサーバ装置から送信された上記承認依頼を受信し、上記ウェブサーバ装置に格納された参照ファイルを取得して表示する表示装置を有し、上記承認依頼に対する上記承認内容を上記コンピュータネットワークを介し、上記ウェブサーバ装置を経由して上記操作サーバ装置へ送信する機能を有する自動系統操作票承認装置と、
電力系統を、上記自動系統操作票を用いて自動的に制御する電力監視制御部とを備えたものであるので、作成した自動系統操作票の承認が円滑、かつ効率的に得られる。
【００５４】
また、上記自動系統操作票承認装置は、汎用電子メールソフト及び汎用ブラウザを備えたものであるので、低コストの電力監視制御システムにおける自動系統操作票承認システムが得られる。
【００５５】
また、上記ウェブサーバ装置は、上記承認依頼毎に承認先ＩＤを作成・記憶し、該承認ＩＤを電子メールで上記自動系統操作票承認装置に送信するものであるので、承認コードの外部への流出や自動系統操作票の偽造あるいは更新漏れを防止することができる。
【００５６】
また、上記ウェブサーバ装置は、電子メールの送信に失敗した場合はエラーメッセージを上記操作卓装置の表示装置に表示するようにしたものであるので、承認依頼を確実に依頼先に送信することができる。
【００５７】
また、上記ウェブサーバ装置は、上記承認先の上記自動系統操作承認装置の表示装置に、承認すべき自動系統操作票のみの参照ファイルを表示するようにしたものであるので、誤った承認操作をなくすことができる。
【００５８】
また、上記ウェブサーバ装置は、計画中のすべての自動系統操作票の参照データファイルを上記自動系統操作票承認装置の表示装置に表示するものであるので、承認すべき自動系統操作票以外の自動系統操作票を参照しながら承認内容を作成することができる。
【００５９】
また、上記ウェブサーバ装置は、承認先（承認者）の社員ＩＤ、承認ＩＤがすべて正しいかどうかをチェックするものであるので、誤った承認操作をなくすことができる。
【００６０】
また、上記電力監視制御部は二重系のウェブサーバを有し、上記自動系統操作票作成装置の上記ウェブサーバ装置または上記操作サーバ装置は、上記電力監視制御部の二重系ウェブサーバの運転情報を取得し、該運転情報から上記二重系ウェブサーバのうちの接続対象となるウェブサーバが常用系であるか否かを判断し、常用系でない場合には上記接続対象となるウェブサーバを常用系に切り替えることによって、上記自動系統操作票作成装置と上記電力監視制御部の二重系ウェブサーバとの接続管理を自動的に行うものであるので、自動系統操作票作成装置と上記電力監視制御部の二重系ウェブサーバとの接続状態を意識しなくてもよいようにすることができる。
【図面の簡単な説明】
【図１】本発明に係る電力監視制御システムにおける系統操作票承認システムの実施の形態１を示す構成図である。
【図２】本発明に係る電力監視制御システムにおける系統操作票承認システムの実施の形態２を示す構成図である。
【図３】実施の形態２における自動系統操作票作成装置内の承認依頼機構を示すフローチャートである。
【図４】実施の形態３における自動系統操作承認装置の承認依頼メール及び参照ファイルに変換された自動系統操作票の表示機構を示すフローチャートである。
【図５】実施の形態４における自動系統操作承認装置の承認依頼メール及び参照ファイルに変換された自動系統操作票の表示機構を示すフローチャートである。
【図６】承認装置参照用自動系統操作票の一例を示す図である。
【図７】承認情報ファイルの一例を示す図である。
【図８】実施の形態５における自動系統操作表作成装置と電力監視制御部の二重系ウェブサーバとの接続管理を自動的に行う機構を示すフローチャートである。
【符号の説明】
１０　電力監視制御システム、１１　操作卓装置、
１２　監視制御サーバ装置、１３　記録サーバ装置、１４　プリンタ、
１５　電力監視制御部、２０　自動系統操作票作成装置、２１　操作卓装置、
２２　操作票作成部、２３　承認依頼部、２４　操作サーバ装置、
２５　承認依頼通知部、２６　自動系統操作票ファイル、２７　承認処理部、
２８　承認情報ファイル、２９　ウェブサーバ装置、
３０　通知処理部（電子メール）、３１　参照用データ作成部、
３２　承認装置参照用操作票ファイル、３３　承認情報ファイル、
３４　承認受信処理部、３５，３９　ファイアウォール、
３６　自動系統操作票承認装置、３７　汎用電子メールソフト、
３８　汎用ブラウザ、
４０　汎用ネットワーク（コンピュータネットワーク）。
【図１】
2004015903.tif 000003
【図２】
2004015903.tif 000004
【図３】
2004015903.tif 000005
【図４】
2004015903.tif 000006
【図５】
2004015903.tif 000007
【図６】
2004015903.tif 000008
【図７】
2004015903.tif 000009
【図８】
2004015903.tif 000010